(57)【特許請求の範囲】
【請求項１】
ＧＳＭショート・メッセージ・サービス・セル報知データを受信する方法であって：
地理的情報を含む新規メッセージ・ブロックを受信する段階；
前記新規メッセージ・ブロックがセル報知サービス・メッセージのタイプとして認識されるかどうかを判定する段階；
前記新規メッセージ・ブロックが既存の部分的受信データと地理的に一貫性があるかを判定する段階であって、前記新規メッセージ・ブロックが、以前受信したメッセージ・ブロックに含まれている地理的情報を有しているかを判定することを含む、前記地理的に一貫性があるかを判定する段階；
前記新規メッセージ・ブロックが以前受信したメッセージ・ブロックと時間的に一貫性があるかどうかを判定する段階；
前記新規メッセージ・ブロックが、セル報知サービス・メッセージのタイプとして認識され、既存の部分的受信データと地理的に一貫性があり、かつ以前受信したメッセージ・ブロックと時間的に一貫性があると判定された場合に、前記新規メッセージ・ブロックを受信メッセージ構造内に挿入する段階；
前記受信メッセージ構造が完全かつ適切に受信されているかどうかを判定する段階；
前記受信メッセージ構造が完全かつ適切に受信されていると判定された場合、受信メッセージ・ブロックから完全なメッセージを組立て、この完全なメッセージを上位ソフトウェア・レイヤに送出する段階；
前記受信メッセージ構造が完全かつ適切に受信されていないと判定された場合、次の新規メッセージ・ブロックを受信する段階；
を備える方法。
【請求項２】
前記新規メッセージ・ブロックが既存の部分的受信データと地理的に一貫性がないことに応答して、セル報知サービス・メッセージ・タイプ用の受信機構を初期化する段階と、次の新規メッセージ・ブロックの受信を待つ段階とを更に備える、請求項１に記載の方法。
【請求項３】
前記初期化する段階は、以前受信された全てのメッセージ・ブロックを除去して、新規メッセージ・ブロックのメッセージ・ブロックのみを受信するようにカウンタを初期化することを含む、請求項２に記載の方法。
【請求項４】
前記新規メッセージ・ブロックが既存の部分的受信データと時間的に一貫性がないことに応答して、セル報知サービス・メッセージ・タイプ用の受信機構を初期化する段階と、次の新規メッセージ・ブロックの受信を待つ段階とを更に備える、請求項１に記載の方法。
【請求項５】
前記初期化する段階は、以前受信された全てのメッセージ・ブロックを除去して、新規メッセージ・ブロックのメッセージ・ブロックのみを受信するようにカウンタを初期化することを含む、請求項４に記載の方法。
【請求項６】
前記完全な受信メッセージ構造は４つのショート・メッセージ・サービス・セル報知メッセージ・ブロックを備え、４つのショート・メッセージ・ブロック・セル報知メッセージ・ブロックの各々は地理的に一貫性が有り且つ時間的に一貫性がある、請求項１に記載の方法。
【請求項７】
無線通信ネットワークのデータおよびシグナリング・スタックであって：
地理的情報を含むセル報知チャンネル・データを受信し、完全に受信したショート・メッセージ・サービス・セル報知メッセージのみを出力する受信マネージャ；
メッセージを受信し、ショート・メッセージ・サービス・セル報知メッセージを前記受信マネージャに送信する物理レイヤ・インターフェイス；
を備え、
前記受信マネージャにより出力される前記完全に受信したショート・メッセージ・サービス・セル報知メッセージは、断片化したショート・メッセージ・サービス・セル報知メッセージの複数の受信から構成され、
前記セル報知チャンネル・データの受信に応答して、前記受信マネージャは、
セル報知チャンネル・データが、ショート・メッセージ・サービス・セル報知メッセージのタイプとして認識されるかを判定し、既存の部分的受信データと地理的に一貫性があるかを判定し、及び以前受信したセル報知チャンネル・データと時間的に一貫性があるかを判定し、
前記セル報知チャンネル・データがショート・メッセージ・サービス・セル報知メッセージのタイプとして認識され、既存の部分的受信データと地理的に一貫性があり、かつ以前受信したセル報知チャンネル・データと時間的に一貫性があると判定された場合、前記セル報知チャンネル・データを受信メッセージ構造に挿入し、
前記受信メッセージ構造が完全且つ適切に受信されたか否かを判定し、
完全かつ適切である場合に、前記完全に受信したショート・メッセージ・サービス・セル報知メッセージを受信メッセージ・ブロックから組み立てて、前記完全に受信したショート・メッセージ・サービス・セル報知メッセージを上位ソフトウェア・レイヤに送出し、
完全かつ適切でない場合に、前記受信マネージャが次のセル報知チャンネル・データを受信し、完全に受信したショート・メッセージ・サービス・セル報知メッセージのみを出力し、
前記セル報知チャンネル・データが、既存の部分的受信データと地理的に一貫性があるかを判定することは、前記セル報知チャンネル・データが、以前受信したセル報知チャンネル・データに含まれている地理的情報を有しているかを判定することを含む、データおよびシグナリング・スタック。
【請求項８】
前記物理レイヤ・インターフェイスは、ショート・メッセージ・サービス・セル報知メッセージ以外の受信したメッセージを、他のシグナリングおよびデータ・スタック・コンポーネントに送信する、請求項７に記載のデータおよびシグナリング・スタック。
【発明の詳細な説明】
【０００１】
【産業上の利用分野】
本発明は、一般に、通信システムに関し、さらに詳しくは、本発明はＧＳＭシステムにおいてショート・メッセージ・サービス・セル報知サービスを受信する方法に関する。
【０００２】
【従来の技術】
図１に示すように、ワイヤレス通信ネットワーク１００は、好ましくは、移動交換局(mobile switching center)１０２と、それぞれが基地局コントローラ(base site controller)１０６に結合された基地局１０５を有する複数のセル・サイト１０４とを含む。移動通信装置１０８または携帯通信装置１１０（総じて、「移動局」という）は、基地局コントローラ１０６に関連する基地局と通信すべく適応され、別の移動ユニットまたは陸線ネットワーク(land line network)に関連する陸線ユニットとの通信を維持する。
【０００３】
ＧＳＭ(Global System for Mobile Communications)は、基地局１０５のカバレッジ・エリア(coverage area)内の全ての移動局１０８，１１０に対するショート・メッセージの伝送という概念をサポートするテレサービス(teleservice)を定める。このテレサービスは、ショート・メッセージ・サービス・セル報知（ＳＭＳＣＢ：Short Message Service Cell Broadcast）サービスといい、「テレサービス２３(Teleservice 23)」として識別され、特定の地理的領域内の全ての受信機に対して非認可メッセージ(unacknowledged message)の報知を可能にし、この特定の地理的領域は一つまたはそれ以上のセル・サイト１０４、あるいはおそらくは公衆陸移動網（ＰＬＭＮ：Public Land Mobile Network)全体からなってもよい。セル報知メッセージは、情報プロバイダとＰＬＭＮオペレータとの間の合意によって、自局の地理的カバレッジ・エリアが割り当てられる。セル報知メッセージは、一つのショート・メッセージ・サービス・センタ（ＳＭＳＣ）に接続された任意の数のセル報知エンティティ（ＣＢＥ：Cell Broadcast Entities)から発信でき、これらはこのテレサービスの実施に関与する主要なネットワーク要素である。セル報知サービス（ＣＢＳ）メッセージは８２個のオクテット(octet)によって構成でき、各オクテットは、ディフォルト文字セット(default character set)を利用して、最大９３文字の長さに等しい。これらのＣＢＳメッセージ（この場合、「ページ」という）のうち最大１５個は、互いに連結して、マクロメッセージ(macro-message)を生成できる。各ＣＢＳメッセージは４つの２３オクテット無線ブロックからなり、４つのブロックはアイドル・モード中に順番に受信され、これらのメッセージの送信のために指定されたアドレッシングおよびリンク・プロトコル仕様を利用して、一つのＣＢＳメッセージを生成する。
【０００４】
【発明が解決しようとする課題】
このサービスはアイドル・モード中にユーザに情報を送信するために利用されることを意図するが、ＧＰＲＳ(General Packet Radio Service)またはＥＤＧＥ(Enhanced Data for Global Evolution)データ転送モード中にこのサービスが利用可能となることが望まれている。ＧＰＲＳ／ＥＤＧＥデータ転送モード中にこのようなセル報知サービスを提供することの問題点は、現行のＧＳＭ仕様によればＣＢＳメッセージを構成する４つのブロック全てを受信することが不可能なことである。従って、現行のＧＳＭ仕様への変更を必要とせずに、ＧＰＲＳ／ＥＤＧＥデータ転送モード中にＳＭＳＣＢメッセージを受信する方法が必要とされる。
【０００５】
【実施例】
ショート・メッセージ・サービス・セル報知（ＳＭＳＣＢ）サービスの利用可能性と、基地局およびネットワークがショート・メッセージ・サービスセル報知サービスの実施の際に協調する方法とが規定され、このショート・メッセージ・サービスセル報知サービスは、例えば、アイドル・モード中にのみ移動局に対して利用可能となるように規定される。しかしならが、ＧＰＲＳおよびＥＤＧＥデータ転送モード中に、セル報知チャネル（ＣＢＣＨ：cell broadcast channel）を読む機会が存在する場合があるが、スケジューリングにおける衝突(conflict)に起因して、セル報知サービス・メッセージを構成するために必要な４個の連続したブロック全てについて、一度にセル報知チャネルを読むことは不可能である。
【０００６】
本発明は、ショート・メッセージ・サービス・セル報知メッセージを、セル報知チャネル上で反復されるセル報知サービス・メッセージの複数の反復の断片から構成することを可能にする非認可の(unacknowledged)高信頼性ショート・メッセージ・サービス・セル報知メッセージ受信プロトコル方法であり、これらのメッセージの周期性(periodicity)はＰＬＭＮオペレータによって制御される。これは、他のＴＤＭＡ受信または送信のスケジューリングにより移動局がメッセージ・コンポーネントを受信するのを禁止される場合や、あるいはメッセージ・コンポーネントがフェージング・チャネル状態によって欠落する場合に有用である。その結果、本発明は、移動装置がＧＰＲＳ／ＥＤＧＥデータ転送の期間中にショート・メッセージ・サービス・セル報知メッセージを受信することを可能にし、それによりユーザは、データ転送セッションに関与している最中にも、ニュース，天気，株価など、オペレータが提供する情報サービスを受信することができる。さらに、基地局位置サービス（ＬＣＳ：base station location service）処理エンティティも、移動局ＬＣＳパラメータを送信できる。
【０００７】
図２に示すように、一つのセル報知チャネル・データ・ブロック２００は、アドレッシングおよび地理的情報を収容するヘッダ２０２と、データ領域２０４とを含む。セル報知サービス・メッセージ２０６は、セル報知チャネル・データ・ブロック２００（ＣＢＣＨ  ｂ０〜ｂ３）のうち４つを合成することによって生成され、最大１５個のセル報知サービス・メッセージ２０６は合成され、一つのセル報知サービス・マクロメッセージ２０８を形成する。
【０００８】
本発明に従って、図３に示すように、この関係によりリストの直交配列(orthogonal arrangement of lists)が得られ、これはメッセージ全体を収容するバッファのセットに対処するために、それぞれが特定のユーザ選択ＣＢＳメッセージ・タイプに関連するアドレスのセットとしてみることができる。各メッセージ受信制御ブロック２１０は、移動装置によって認識される報知メッセージのタイプ（ＣＢＳタイプ）を示すセル報知タイプ・コンポーネント２１２と、移動装置がメッセージ断片(message fragment)を最後に受信してから異なる地理的位置に移動したかどうかを示す地理的データ・コンポーネント２１４とを含む。メッセージ有効ポインタ(message valid pointer)２１６は、時間的一貫性(temporal coherency)についてメッセージを実証する機能を示す。オール・コンプリート・ポインタ(all complete pointer)２１８は、全メッセージの全ブロックおよびマクロメッセージ内の全メッセージが完全かつ適切に受信されたかどうかを調べる機能を示し、メッセージ・バッファ・アドレス・ポインタ２２０は、メッセージ・ヘッダ２２２の最初のバッファ要素を示す。メッセージ・ヘッダ２２２は、ブロック０〜３が以前受信されたかどうかを示すためのカウンタ２２４を含み、ネクスト・ポインタ２２６は次のメッセージ・ヘッダを示す。
【０００９】
論理は、セル報知チャネルの受信を管理するために実施され、ＧＰＲＳ／ＥＤＧＥデータ転送モード中のあらゆる機会にセル報知チャネルの内容を受信・処理する。メッセージ全体が受信され、かつこのメッセージ内の全ての要素が有効である、すなわち、全てのブロック，メッセージおよび複数のページが現在の地理的エリアに対して適切であると、このような論理が判断すると、完全なメッセージまたはマクロメッセージはその利用者ソフトウェア・エンティティ(consumer software entity)に送出される。
【００１０】
このように、図４に示すように、本発明に従ってＧＰＲＳ／ＥＤＧＥデータ転送モード中にショート・メッセージ・サービス・セル報知メッセージを受信する方法において、ステップ３００にてメッセージ・ブロックを受信した後、ステップ３０２において、メッセージ・ブロックがセル報知サービス・タイプ・ブロックとして認識されるかどうかの判定が行われる。ブロックがセル報知サービス・ブロックであると認識されると、ステップ３０４において、新規受信ブロックが既存の部分的受信データと地理的に一貫性があるか、あるいは以前に受信したメッセージ・コンポーネントを有しているかどうかの判定が行われる。さらに、ステップ３０６において、新規受信メッセージ・ブロックが以前受信したメッセージ・ブロックに対応する既存の部分的受信データと時間的に一貫性があるかどうかの判定が行われる。ブロックが地理的または時間的に一貫性がない場合、セル報知サービス・メッセージ・タイプ用の受信機構は、以前受信された全てのメッセージ・ブロックを除去して、新規メッセージのメッセージ・ブロックのみを受信するようにカウンタを初期化することによって、ステップ３０８において初期化される。
【００１１】
地理的にも時間的にも一貫性がある場合、ステップ３１０において新規メッセージ・ブロックは図３の受信メッセージ構造に挿入され、新規メッセージ・ブロックが受信された旨の指標がメッセージ・ブロック・ヘッダ内で行われる。ステップ３１２においてメッセージが完全かつ適切に受信されたことが判断された場合、完成したメッセージは受信ブロックから組み立てられ、ステップ３１４において上位ソフトウェア・レイヤに送出されるが、この上位ソフトウェア・レイヤはメッセージの利用者である。ステップ３１２においてメッセージが完全かつ適切に受信されていないと判断されると、プロセスは次の新規メッセージ・ブロックを待つ（ステップ３１６）。
【００１２】
なお、セル報知チャネル上で受信される情報の地理的部分を処理するためにはかなりの量の論理が必要になる。なぜならば、移動局が同一ＰＬＭＮ内の異なる地理的領域内に移動すると、ある情報は無効になることがあり、一方，他の情報は、移動局がさまざまなセルのカバレッジ・エリア間を移動しても、有効性を維持するためである。
【００１３】
このように、図５に示すように、本発明によるデータおよびシグナリング・スタック４００において、セル報知チャネル・データは高信頼性ＳＭＳＣＢ受信マネージャ（ＲＳＲＭ：reliable SMSCB reception manager）４０２に宛てられ、このＲＳＲＭ４０２は完全なもしくは断片化したセル報知チャネル・メッセージを含む。ＲＳＲＭ４０２は、完全に受信したセル報知サービス・メッセージまたはマクロメッセージのみを既存のショート・メッセージ・サービス処理コンポーネント４０４に出力する。図５に示すように、ＲＦハードウェアによって受信され、チャネル・デコーダ（図示せず）によって処理されたメッセージは、本発明のデータおよびシグナリング・スタック４００の物理レイヤ（レイヤ１）インタフェース４０６によって受信される。メッセージがショート・メッセージ・サービス・メッセージ以外である場合、物理レイヤ４０６はこのメッセージを他のシグナリングおよびデータ・スタック・コンポーネントに転送する。受信メッセージがサービス・アクセス・ポイント識別子（ＳＡＰＩ：service access point identifier）またはショート・メッセージ・サービス・データである場合、このメッセージはＲＳＲＭ４０２に送出され、図４に示す方法を利用して処理される。完成すると、メッセージは既存のショート・メッセージ・サービス・プロセッサ４０４、すなわち、上記のように利用者に送出される。
【００１４】
本発明の特定の実施例について図説してきたが、修正を行うことができる。従って、特許請求の範囲は発明の真の精神および範囲内のこのような全ての変更および修正を網羅するものとする。
【図面の簡単な説明】
【図１】基地局と移動局との間でデータを送信するワイヤレス通信システムの平面図である。
【図２】メッセージ・コンポーネントの単一セル報知チャネル・データ・ブロックのブロック図である。
【図３】本発明によるメッセージ受信制御ブロックおよびバッファ・アドレス・ポインタのブロック図である。
【図４】本発明により、ＧＰＲＳ／ＥＤＧＥデータ転送モード中にショート・メッセージ・サービス・セル報知メッセージを受信する方法のフローチャートである。
【図５】本発明によるデータおよびシグナリング・スタックのブロック図である。
【符号の説明】
１００  ワイヤレス通信ネットワーク
１０２  移動交換局
１０４  セル・サイト
１０５  基地局
１０６  基地局コントローラ
１０８  移動通信装置
１１０  携帯通信装置
２００  セル報知チャネル・データ・ブロック
２０２  ヘッダ
２０４  データ領域
２０６  セル報知サービス・メッセージ
２０８  セル報知サービス・マクロメッセージ
２１０  メッセージ受信制御ブロック
２１２  セル報知タイプ・コンポーネント
２１４  地理的データ・コンポーネント
２１６  メッセージ有効ポインタ
２１８  オール・コンプリート・ポインタ
２２０  メッセージ・バッファ・アドレス・ポインタ
２２２  メッセージ・ヘッダ
２２４  カウンタ
２２６  ネクスト・ポインタ
４００  データおよびシグナリング・スタック
４０２  高信頼性ＳＭＳＣＢ受信マネージャ（ＲＳＲＭ）
４０４  ショート・メッセージ・サービス処理コンポーネント
４０６  物理レイヤ（レイヤ１）インタフェース
【図１】
0004981207.tif 000002
【図２】
0004981207.tif 000003
【図３】
0004981207.tif 000004
【図４】
0004981207.tif 000005
【図５】
0004981207.tif 000006